(57)【要約】【課題】冗長のホスト構成が更に２重化された監視システムで現用系で運用中のホストに負荷が集中しない監視ネットワークシステムおよびデータバックアップ方法を提供する。【解決手段】現用系の監視設備の監視ホスト１Ａの管理制御部１２は、データ収集部処理部１１が収集したデータを共有メモリ１Ｍとの間で差分処理を行い内部ＬＡＮ１４を介して待機系の監視ホスト１Ｂの管理制御部１２へ転送し、監視ホスト１Ｂの管理制御部１２は、監視制御網ＮＷを介して予備系の監視設備の待機系の監視ホスト２Ｂの管理制御部１２へ転送し、系間処理が行われる。監視ホスト２Ｂの管理制御部１２は、転送されたデータを更に予備系の運用系の監視ホスト２Ａの管理制御部１２へ転送し、監視ホスト２Ａの管理制御部１２は、転送されたデータの差分処理をすることにより共有メモリ２Ｍの内容を共有メモリ１Ｍと同一にする。【選択図】図１
2008197907.tif 000002
【特許請求の範囲】
【請求項１】
それぞれ監視制御網に接続され、管理制御部を有する運用系監視装置と待機系監視装置と、両監視装置がアクセスする共有メモリとを有する現用系と予備系との監視設備を具備して、前記監視制御網を介して接続された複数の被監視装置からモニタのデータを収集して監視する監視ネットワークシステムにおいて、
前記現用系の両監視装置がアクセスする第１の共有メモリと、
前記現用系の両監視装置の間を接続する第１の内部ＬＡＮと、
前記ネットワークを介して前記データを収集するデータ収集手段と、前記現用系の共有メモリに前記収集されたデータを書込記憶すると共に、前記記憶したデータを前記第１の共有メモリから読み出して前記第１の内部ＬＡＮを介して前記現用系の待機系の監視装置の管理制御部に転送する制御を行う管理制御部とを備える運用系の監視装置と、
前記転送されたデータを、前記監視制御網を介して前記予備系の監視設備の前記待機系の監視装置の管理制御部に再転送する管理制御部を備える待機系の監視装置とを具備する現用系の監視設備、および
前記予備系の両監視装置がアクセスする第２の共有メモリと、
前記予備系の両監視装置の間を接続する第２の内部ＬＡＮと、
前記監視制御網を介して受信する前記再転送されたデータを、前記予備系の監視設備の運用系の監視装置の管理制御部に前記第２の内部ＬＡＮを介して再々転送する待機系の管理制御部を有する待機系の監視装置と、
前記第２の内部ＬＡＮを介して前記再々転送されたデータを受信し、前記第２の共有メモリに書込記憶する管理制御部を有する運用系の監視装置とを具備する予備系の監視設備とを
具備することを特徴とする監視ネットワークシステム。
【請求項２】
前記第１の共有メモリに書き込まれるデータには書込履歴を示す書込ポインタと、前記現用系の監視装置の管理制御部が転送するデータには転送履歴を示す転送ポインタとが設けられ、
前記第１の共有メモリに書き込まれるデータは、前記データ収集手段が収集したデータが前回の収集時と変化した場合のみ書込記憶され、前記第１の共有メモリから読み出されたデータの書込ポインタと前記転送ポインタとの値が比較照合され、両者が一致するまで前記読み出されたデータの前記転送が行われる
ことを特徴とする請求項１記載の監視ネットワークシステム。
【請求項３】
それぞれ監視制御網に接続され、管理制御部を有する運用系監視装置と待機系監視装置と、両監視装置がアクセスする共有メモリとを有する現用系と予備系との監視設備を具備して、前記監視制御網を介して接続された複数の被監視装置からモニタのデータを収集して監視する監視ネットワークシステムにおいて、
前記現用系の両監視装置がアクセスする第１の共有メモリと、
前記ネットワークを介して前記データを収集するデータ収集手段と、前記現用系の共有メモリに前記収集されたデータを書込記憶すると共に、前記記憶したデータを前記第１の共有メモリから読み出して前記現用系の待機系の監視装置の管理制御部に転送する制御を行う管理制御部とを備える運用系の監視装置と、前記転送されたデータを、前記監視制御網を介して前記予備系の監視設備の前記待機系の監視装置の管理制御部に再転送する管理制御部を備える待機系の監視装置とを具備する現用系の監視設備、および
前記予備系の両監視装置がアクセスする第２の共有メモリと、前記監視制御網を介して受信する前記再転送されたデータを、前記予備系の監視設備の運用系の監視装置の管理制御部に再々転送する待機系の管理制御部を有する予備系の待機系の監視装置と、前記再々転送されたデータを受信し、前記第２の共有メモリに書込記憶する管理制御部を有する運用系の監視装置とを具備する予備系の監視設備とを
具備することを特徴とする監視ネットワークシステム。
【請求項４】
データ収集手段と、ＮＷＩＦ（ネットワークインタフェース）と、管理制御部とを有する各々が監視制御網に接続される運用系監視装置と待機系監視装置、および両監視装置がアクセスする共有メモリと、両監視装置の間を接続する内部ＬＡＮとをそれぞれ備える現用系及び予備系の監視設備により、前記監視制御網を介して接続された複数の被監視装置からモニタのデータを収集、記憶して監視する監視ネットワークシステムのデータバックアップ方法において、
前記現用系の監視設備の運用系の監視装置の前記データ収集手段は、
前記ＮＷＩＦと前記監視制御網とを介して前記被監視装置から収集したデータを、自監視装置の前記管理制御部へ出力し、
前記出力されたデータを受信する前記管理制御部は、前記現用系の監視設備の両監視装置がアクセスする第１の前記共有メモリへ前記受信したデータを書込記憶し、
更に書込記憶したデータを第１の前記共有メモリから読み出して第１の前記内部ＬＡＮを介して、前記現用系の監視設備の待機系の監視装置の管理制御部に転送し、
前記転送されたデータを受信した前記待機系の管理制御部は、前記受信した転送データを前記監視制御網を介して、前記予備系の監視設備の待機系の監視装置の管理制御部に再送し、
前記再送されたデータを受信する前記待機系の管理制御部は、
受信した再送されたデータを、第２の前記内部ＬＡＮを介して前記予備系の監視設備の運用系の監視装置の管理制御部へ再々送し、
前記再々送されたデータを受信する前記運用系の管理制御部は、
受信した前記再々送されたデータを第２の前記共有メモリに書込記憶する
ことを特徴とする監視ネットワークシステムのデータバックアップ方法。
【請求項５】
前記第１の共有メモリに書き込まれるデータには書込履歴を示す書込ポインタと、前記現用系の監視装置の管理制御部が転送するデータには転送履歴を示す転送ポインタとが設けられ、
前記第１の共有メモリに書き込まれるデータは、前記データ収集手段が収集したデータが前回の収集時と変化した場合のみ書込記憶され、前記第１の共有メモリから読み出されたデータの書込ポインタと前記転送ポインタとの値が比較照合され、両者が一致するまで前記読み出されたデータの前記転送が行われる
ことを特徴とする請求項４記載の監視ネットワークシステムのデータバックアップ方法。
【発明の詳細な説明】
【技術分野】
【０００１】
本発明は、多数の装置で構成されたシステムを監視する監視ネットワークシステムおよびデータバックアップ方法に関する。
【背景技術】
【０００２】
監視制御システムや情報処理システムでは、装置やシステムの故障に備え冗長構成が取られる。この場合、現用系と予備系、又は、運用系と待機系との間でそれぞれのメモリ装置の間で高速にデータコピーをすることが必要である。この様な場合、データラインやネットワークを介してバックアップの為のデータを転送する場合に両者のメモリ装置間でキャッシュメモリを用いてデータコピーが行われることが多い（例えば、特許文献１。）。
【０００３】
しかし、通信網の様な多くの装置が広い区域に設置されるインフラ系の監視システムは、万一の監視機能自体の故障に備え、監視機能のシステム構成が運用系と待機系とに２重化構成された監視装置（ホスト）を更に現用系と予備系との冗長構成にした監視設備で構成されることが多い。この場合、現用系の運用系の装置では、待機系との間の共有メモリ装置にデータ記憶処理を行うことに加え、予備系が同様に備えている共有メモリ装置へもネットワークを介してデータ転送をするデータバックアップ処理が必要となる。
【０００４】
そして、定期的にモニタしている被監視装置の監視データもネットワークを介して受信するので、現用系の運用中の監視装置のデータバックアップ処理やネットワークとの間の処理が膨大となり、運用中の監視装置のリソースが限界に近づき、監視処理能力の低下が発生する。
【０００５】
図２は、従来の冗長装置構成を更に２重系統化した監視制御システムの動作、機能を説明する機能ブロック図である。  
図２において、監視制御網４００を介して被監視装置９（＃１〜＃ｎ）を監視する監視制御システムは、現用系と予備系の監視設備１００、監視設備２００と、監視センターＣに設置されるモニタコンソール３００とを備えている。
【０００６】
現用系の監視設備１００と予備系の監視設備２００とは、基本的に同じ構成と機能を備えている。現用系の監視設備１００は、運用系の監視ホスト１１０Ａ、待機系の監視ホスト１１０Ｂと、両ホストにメモリバス等で接続されている共有メモリ１２０とを備えており、予備系の監視設備２００の構成も同様である。原則として、予め現用系、予備系、更にその運用系、待機系の監視ホストの役割分担については、システム起動時に予め設定され、その設定に従い各構成は動作処理を行っている。
【０００７】
現用系の監視ホスト１１０Ａは、更にそれぞれが内部バス等で接続されているＮＷＩＦ（ネットワークインタフェース）部１１１、バックアップ制御部１１２、データ収集処理部１１３と、コンソール管理部１１４とを備え、待機系の監視ホスト１１０Ｂの内部構成も同様である。また、予備系の監視設備２００の運用系と待機系との監視ホストも同様の内部構成を有している。なお、図２では、図面の頻雑を避けるため必要でない限り両監視設備１００、２００で共通な構成は監視ホスト１１０Ａで代表して図示し、他については図示を省略する。
【０００８】
運用系の監視ホスト１１０Ａのデータ収集処理部１１３は、例えば、定期的にポーリング処理のデータやコマンドをＮＷＩＦ部１１１と監視制御網４００とを介して被監視装置９（＃１〜＃ｎ）との間で送受信することにより収集したデータを共有メモリ１２０へ書き込み記憶している。
【０００９】
また、データ収集処理部１１３は、各被監視装置９から収集したデータ、および監視ホスト１１０Ａ自身の内部試験手段（図示せず。）が収集するデータに所定の基準値から外れるものが在った場合アラームを内部バスを介してバックアップ制御部１１２、および監視制御網４００等を介してモニタコンソール３へ出力する。
【００１０】
運用系の監視ホスト１１０Ａのコンソール管理部１１４は、モニタコンソール３００からのコマンドに従って、所要のデータを共有メモリ１２０から読み出し、所定のデータフォーマットにしてＮＷＩＦ部１１１と監視制御網４００とを介してモニタコンソール３００へ送信する。また、モニタコンソール３００から、現用系と予備系、又はそれらの系統中での運用系、待機系の切換コマンドを受信した場合、バックアップ制御部１１２へそのコマンドを更に通知する。バックアップ制御部１１２は、受信したコマンドに従い、所要の冗長構成切換に係わる制御を行う。
【００１１】
運用系の監視ホスト１１０Ａのバックアップ制御部１１２は、監視ホスト１１０Ａ全体の処理動作を管理、制御するＣＰＵである。通常は、系統切換に備えて、予め定められた手順で運用系の監視ホスト１１０Ａが行うデータ処理と共有メモリ１２０の制御を行う。そして、モニタコンソール３００からの系統切換のコマンド、又は、データ収集処理部１１３から受信したアラームが所定の系統の自動切り替えを行う場合に該当するものであった場合、内部バス、又は内部のＬＡＮ等により待機系の監視ホスト１１０Ｂのバックアップ制御部１１２との間での冗長処理、切換処理を行う。
【００１２】
更に又、現用系の運用系の監視ホスト１１０Ａのバックアップ制御部１１２は、現用系と予備系との切換に備え、共有メモリ１２０のデータを読み出してＮＷＩＦ部１１と監視制御網４００とを介して予備系の監視設備２００の運用系となる監視ホスト２１０Ａへデータを送信する。このデータ送信については、予備系の監視ホスト２１０Ａのバックアップ制御部１１２との間で予め定めた処理手順に従って実施される。
【００１３】
監視ホスト２１０Ａでは、バックアップ制御部１１２が監視制御網４００と自分の監視制御網４００とを介して受信したデータを監視ホスト２１０Ａの共有メモリ１２０へ書き込み記憶し、現用・予備系の切換に備える。
【００１４】
以上説明した如く、従来の冗長構成が更に２重化された監視システムでは、現用系の運用系の監視ホスト１１０Ａのバックアップ処理部１１２にかかる負担が非常に大きく、例えば、複数の被監視装置９に異常が発生した様な場合、データ処理が輻輳しシステム能力が急激に低下する問題があった。
【特許文献１】特開２００６−１５５２０２号公報  （第１９頁、第１図）
【発明の開示】
【発明が解決しようとする課題】
【００１５】
従来の冗長構成が更に２重化された監視システムでは、現用系の運用系の監視ホストのバックアップ処理部にかかる負荷が非常に大きく、データ処理が輻輳しシステム能力が急激に低下する問題があった。
【００１６】
本発明は、上記問題を解決するためになされたもので、冗長構成が更に２重化された監視システムの現用系の運用中のホストに負荷が集中しない監視ネットワークシステムおよびデータバックアップ方法を提供することを目的とする。
【課題を解決するための手段】
【００１７】
上記目的を達成するために、本発明の監視ネットワークシステムは、それぞれ監視制御網に接続され、管理制御部を有する運用系監視装置と待機系監視装置と、両監視装置がアクセスする共有メモリとを有する現用系と予備系との監視設備を具備して、前記監視制御網を介して接続された複数の被監視装置からモニタのデータを収集して監視する監視ネットワークシステムにおいて、前記現用系の両監視装置がアクセスする第１の共有メモリと、前記現用系の両監視装置の間を接続する第１の内部ＬＡＮと、前記ネットワークを介して前記データを収集するデータ収集手段と、前記現用系の共有メモリに前記収集されたデータを書込記憶すると共に、前記記憶したデータを前記第１の共有メモリから読み出して前記第１の内部ＬＡＮを介して前記現用系の待機系の監視装置の管理制御部に転送する制御を行う管理制御部とを備える運用系の監視装置と、前記転送されたデータを、前記監視制御網を介して前記予備系の監視設備の前記待機系の監視装置の管理制御部に再転送する管理制御部を備える待機系の監視装置とを具備する現用系の監視設備、および前記予備系の両監視装置がアクセスする第２の共有メモリと、前記予備系の両監視装置の間を接続する第２の内部ＬＡＮと、前記監視制御網を介して受信する前記再転送されたデータを、前記予備系の監視設備の運用系の監視装置の管理制御部に前記第２の内部ＬＡＮを介して再々転送する待機系の管理制御部を有する待機系の監視装置と、前記第２の内部ＬＡＮを介して前記再々転送されたデータを受信し、前記第２の共有メモリに書込記憶する管理制御部を有する運用系の監視装置とを具備する予備系の監視設備とを具備することを特徴とする監視ネットワークシステム。
【００１８】
また本発明の監視ネットワークシステムのデータバックアップ方法は、データ収集手段と、ＮＷＩＦ（ネットワークインタフェース）と、管理制御部とを有する各々が監視制御網に接続される運用系監視装置と待機系監視装置、および両監視装置がアクセスする共有メモリと、両監視装置の間を接続する内部ＬＡＮとをそれぞれ備える現用系及び予備系の監視設備により、前記監視制御網を介して接続された複数の被監視装置からモニタのデータを収集して監視する監視ネットワークシステムのデータバックアップ方法において、前記現用系の監視設備の運用系の監視装置の前記データ収集手段は、前記ＮＷＩＦと前記監視制御網とを介して前記被監視装置から収集したデータを、自監視装置の前記管理制御部へ出力し、前記出力されたデータを受信する前記管理制御部は、前記現用系の監視設備の両監視装置がアクセスする第１の前記共有メモリへ前記受信したデータを書込記憶し、更に書込記憶したデータを第１の前記共有メモリから読み出して第１の前記内部ＬＡＮを介して、前記現用系の監視設備の待機系の監視装置の管理制御部に転送し、前記転送されたデータを受信した前記待機系の管理制御部は、前記受信した転送データを前記監視制御網を介して、前記予備系の監視設備の待機系の監視装置の管理制御部に再送し、前記再送されたデータを受信する前記待機系の管理制御部は、受信した再送されたデータを、第２の前記内部ＬＡＮを介して前記予備系の監視設備の運用系の監視装置の管理制御部へ再々送し、前記再々送されたデータを受信する前記運用系の管理制御部は、受信した前記再々送されたデータを第２の前記共有メモリに書込記憶することを特徴とする監視ネットワークシステムのデータバックアップ方法。
【発明の効果】
【００１９】
本発明によれば、冗長構成の監視システムの現用系の運用中のホストに負荷が集中しない監視ネットワークシステムおよびデータバックアップ方法を提供することができる。
【発明を実施するための最良の形態】
【００２０】
以下、図面を参照して本発明の実施例を説明する。
【実施例】
【００２１】
図１は、本発明の実施例に係わる監視ネットワークシステムの動作を説明する機能ブロック図である。  
図１において、監視制御網ＮＷを介して被監視装置９（＃１〜＃ｎ）を監視する監視制御システムは、現用系（システム）と予備系（システム）の監視設備１、監視設備２と、監視センターＣに設置されるモニタコンソール３とを備えている。
【００２２】
監視制御網ＮＷは、ＩＰ網であり、例えば、広域のインターネット網、又は、専用のＬＡＮ、ＷＡＮ等である。モニタコンソール３、被監視装置９は、この監視制御網ＮＷを介して各被監視装置９のモニタデータや、その動作状態を示すディスプレイ情報を監視設備１との間で送受信する。また、現用系と予備系の監視設備の間でバックアップに必要なモニタデータや、制御情報等もこの監視制御網ＮＷを介して伝送される。
【００２３】
現用系の監視設備１は、運用系の監視ホスト１Ａ、待機系の監視ホスト１Ｂと、両ホストにメモリバス等で接続されている共有メモリ１Ｍと、両監視ホスト１Ａ、１Ｂとの間を接続する内部ＬＡＮ１４とを備えている。又、予備系の監視設備２の構成も同様に予備系の監視設備２でも運用系の監視ホスト２Ａ、待機系の監視ホスト２Ｂと、両ホストにメモリバス等で接続されている共有メモリ２Ｍと、両監視ホスト２Ａ、２Ｂとの間を接続する内部ＬＡＮ１４とを備えている。
【００２４】
ここでいう監視ホストは、監視サーバとも呼ばれるモニタデータを収集し管理する監視装置であって、以下、監視ホストと称する。
【００２５】
現用系の監視設備１と予備系の監視設備２とは、基本的に同じ構成と機能を備えている。そして、予め、現用系、予備系、運用系、待機系の割当の初期設定が行われ、両共有メモリ１Ｍ、２Ｍに同じデータが書き込み記憶される。
【００２６】
各監視ホスト１Ａ、１Ｂ、２Ａ、２Ｂは、それぞれ、コンソール管理部１０、データ収集部１１、管理制御部１２と、ＮＷＩＦ（ネットワークインタフェース）部１３とを備え、各監視ホストの内部では、コンソール管理部１０〜ＮＷＩＦ部１３は、内部バス等で相互接続されている。
【００２７】
ＮＷＩＦ部１３は、監視制御網ＮＷ、および内部ＬＡＮ１４との間の通信インタフェースであり、例えばＴＣＰ／ＩＰ手順を実行し、運用系の監視ホスト１Ａが被監視端末９、モニタコンソール３と通信するか、又は、待機系の監視ホスト１Ｂ、もしくは、予備系の監視設備２との間のＩＰパケットの伝送処理を行う。
【００２８】
また、監視ホスト１Ａ、１Ｂの内部バスは更に共有メモリ１Ｍとのメモリバス、および監視ホスト２Ａ、２Ｂの内部バスは更に共有メモリ２Ｍとのメモリバスに直接又は、図示されないバスインタフェース手段により接続され、各監視ホストは、それぞれの共有メモリにアクセス可能である。
【００２９】
図１では、図面の頻雑を避けるため必要でない限り両監視設備１、２で共通な構成は監視ホスト１Ａで代表して図示し、他については図示を省略する。
【００３０】
運用・待機系で動作する夫々の機能については、装置起動及び系切替時に運用・待機系制御を行う冗長機能によって各機能の起動と停止を行い運用・待機系及び運用方系運転で動作すべき機能を決める。
【００３１】
現用システムと予備システム間では、前述の如く運用・待機系情報を両共有メモリ、又は各管理制御部１２に動作プログラムが予め登録される。図示しない各システムの自己診断手段から受信する系状態（系切替、方系ダウン、システム起動）に係わる情報に従い、新運用・待機系情報を各管理制御部１２が相互に監視制御網ＮＷ、および内部ＬＡＮ１４を介して通知し合い、自システムと相手システムについての上記運用・待機系情報を参照し自監視装置の動作を制御する。
【００３２】
現用監視設備１の運用系の監視ホスト１Ａの管理制御部１２には初期設定により、監視機能と現用系の中の運用系と待機系との間で行われる系間差分転送機能（以下、差分処理と記す。）を実行するプログラムが常駐する。そして、待機系の監視ホスト１Ｂの管理制御部１２には、現用系と予備系とのシステム間バックアップ機能（以下、系間処理と記す。）を実行するプログラムが常駐する。
【００３３】
運用系の監視ホスト１Ａのデータ収集処理部１１は、管理制御部１２が実行する監視機能実行プログラムによって管理され、例えば、定期的にポーリング処理のデータやコマンドをＮＷＩＦ部１３と監視制御網ＮＷとを介して被監視装置９（＃１〜＃ｎ）との間で送受信することによりデータを収集する。
【００３４】
また、データ収集処理部１１は、各被監視装置９から収集したデータ、および監視ホスト１Ａ自身の自己診断手段（図示せず。）が収集するデータに所定の基準値から外れるものが在った場合アラームを内部バスを介して管理制御部１２、および監視制御網ＮＷ等を介してモニタコンソール３へ出力する。
【００３５】
運用系の監視ホスト１Ａのコンソール管理部１０は、モニタコンソール３からのコマンドに従って、所要のデータを共有メモリ１Ｍから読み出し、所定のデータフォーマットにしてＮＷＩＦ部１３と監視制御網ＮＷとを介してモニタコンソール３へ送信する。また、モニタコンソール３から、現用系と予備系、又はそれらの系統中での運用系、待機系の切換コマンドを受信した場合、そのコマンドを更に管理制御部１２へ通知する。管理制御部１２は、受信した切換コマンドに従い、所要の冗長構成切換に係わる制御を行う。
【００３６】
監視ホスト１Ａ全体の処理動作を管理、制御する運用系の監視ホスト１Ａの管理制御部１２は、通常、系統切換に備えて、予め定められた手順で運用系の監視ホスト１Ａが行うデータ処理と共有メモリ１Ｍの制御を行う。
【００３７】
即ち、管理制御部１２は、例えば、データ収集管理部１７によるポーリングや生存確認等で収集されたデータを、更に共有メモリ１Ｍへ書き込み記憶すると共に、予備系の監視ホスト１Ｂへ更新されるデータを送信する為の差分処理の制御を行う。即ち、共有メモリ１Ｍ上の各データには、書込履歴を示す書込みポインタ（図示せず）が設けられて書込み時に更新される。
【００３８】
データ収集処理部１７は、ポーリングや生存確認を行って前回のモニタデータと違いが在る場合に、共有メモリ１Ｍへデータを書き込む差分処理が行われる。
【００３９】
更新されるデータをバックアップの為に現用系から予備系に転送する処理は、待機系である監視ホスト１Ｂが実行する。監視ホスト１Ａの管理制御部１２が実行する差分処理では、ＮＷＩＦ部１３と内部ＬＡＮ１４を介して待機系の監視ホスト１Ｂの監視ホスト１Ａに転送される各データには、転送履歴を示す系間転送時に更新される転送ポインタ（図示せず）が設けられ、転送ポインタと書込みポインタが比較される。
【００４０】
データ転送は、各データ毎にサイクリックに行われるが、新たな転送をする前に被監視装置の動作に変化が在る場合にはモニタのデータポインタが例えば、「５」で在るのに、転送ポインタは、「３」の様に異なった値になっている。そして、現用システムの待機系の監視ホスト１Ｂの管理制御部１２が実行するシステム間バックアップ機能（系間処理）へ両ポインタが、「５」の様に一致し、最新の書込データまで転送されたと判断されるまで転送が繰り返される。
【００４１】
反対にポインタが比較されたときに一致すれば、データバックアップの為の転送をしないので、この差分処理によって管理制御部１２やＮＷインタフェース、内部ＬＡＮ１４等の負担は軽減される。
【００４２】
またこの、データ転送は、本来メモリバスＭＢを介して行っても良いが、ここでは監視データ収集よりも優先度を下げ、内部ＬＡＮ１４を介してＮＷＩＦ部１３の処理によって転送しているので、管理制御部１２の負担が一層軽減されている。
【００４３】
続いて、現用系の監視設備１の待機系の監視ホスト１Ｂの管理制御部１２が実行する系間処理では、待機系へ系間転送されたデータをＮＷＩＦ部１３と監視制御網ＮＷとを介して予備系の監視設備２の待機系の監視ホスト２Ｂの管理制御部１２が実行するシステム間バックアップ機能（系間処理）へ転送される。
【００４４】
転送されたデータは、監視ホスト２Ｂの管理制御部１２が実行する系間処理によって予備系の監視設備２の運用系の監視ホスト２Ａの管理制御部１２が実行する差分処理へ更に転送される。このデータ転送は、現用系と同様に予備系の監視設備２の内部ＬＡＮ１４を介して行われる。そしてこの差分処理は、現用系で行った場合と対応するように共有メモリ２Ｍに書き込まれるデータの書き込みポインタが、転送ポインタの値と一致して最後に転送されたデータが書込記憶されたと判断されるまで書き込み記憶される。
【００４５】
以上説明した如く、本発明の実施例における監視ネットワークシステムでは、現用系と予備系の監視設備が備える合計４つの管理制御部１２がそれぞれ機能（負荷）分担してデータの転送処理を行い、現用、予備のそれぞれの共有メモリの内容が同一になるバックアップを行い、且つ、各内部ＬＡＮ１４を活用してデータ転送を行うことにより、現用系の運用系となる監視設備の管理制御部が実行する処理能力に余裕が設けられ収集データの更新が増えても支障となる輻輳を防いでいる。
【００４６】
また、４つの管理制御部１２は、初期設定によりどのプログラムを起動するかが決定されているが、それぞれが差分処理、系間処理プログラムを記憶保存しているので、仮に現用系の監視ホストの一方が故障した場合でも、監視設備の運用系となった監視ホストの管理制御部が系間処理のプログラムを起動することにより予備系へデータを転送することが可能である。
【００４７】
本発明は、上記構成に限られることなく、上記主旨を逸脱しない範囲で上記構成を組み合わせる形態も適用可能である。たとえば、モニタコンソール３は、更に各監視設備１、２の各コンソール管理部１０に接続されるものが在っても良い。またＮＷＩＦ部１３も１つに限られることなく、監視制御網ＮＷや内部ＬＡＮ１４は、複数、またＴＣＰ・ＩＰ手順以外の他の手順で通信するものであっても良い。
【図面の簡単な説明】
【００４８】
【図１】本発明の実施例に係わる監視ネットワークシステムの動作を説明する機能ブロック図。
【図２】従来の冗長装置構成を更に２重系統化した監視制御システムの動作、機能を説明する機能ブロック図。
【符号の説明】
【００４９】
１、２    監視設備
１Ａ、２Ａ  監視ホスト
１Ｍ、２Ｍ  共有メモリ
１０  コンソール管理部
１１  データ収集処理部
１２  管理制御部
１３  ＮＷＩＦ（ネットワークインタフェース）部
１４  内部ＬＡＮ
３  モニタコンソール
９  被監視装置
ＮＷ  監視制御網
【図１】
2008197907.tif 000003
【図２】
2008197907.tif 000004